(57)【特許請求の範囲】
【請求項１】
有料道路の各入口／出口に設けられる各ゲートと通信線を介して接続したサーバにおける有料道路利用管理方法であって、
前記入口のゲートから、自ゲートの情報と共に該入口ゲートが任意の携帯電話から受信した利用者と分割支払者と支払比率の情報を含む有料道路利用信号が送られてくると、予め登録済み利用者名／分割支払者名とｅメールアドレスが設定されて記憶装置に記憶されている利用者マスタを参照して、前記利用者が登録済みの者であるか否かを判定し、登録済みである場合には、前記入口ゲートの通過を許可するステップと、
前記入口ゲートの通過を許可した場合に、
前記自ゲートの情報を利用開始地点として前記記憶装置に格納される利用ジャーナルに記録すると共に、前記受信した利用者と分割支払者と支払比率の情報を前記利用ジャーナルに記録するステップと、
前記利用者マスタと利用ジャーナルに記録された情報に基づいて、前記分割支払者の携帯電話に対して、有料道路の利用、及び支払比率についての確認／容認の為の電子メールを送信するステップと、
を備えたことを特徴とする携帯電話を利用した有料道路料金支払方法。
【請求項２】
前記出口ゲートから、自ゲートの情報と共に該出口ゲートが任意の携帯電話から受信した利用者の情報を含む利用通知信号が送られてくると、前記利用ジャーナルを参照して利用者確認を行って前記出口ゲートの通過を許可するか否かを判定するステップと、
前記出口ゲートの通過を許可した場合に、
前記利用ジャーナルに前記出口ゲートを利用終了地点として記録し、該利用ジャーナルと予め前記記憶装置に記憶されている料金マスターとに基づいて有料道路利用料金を算出し、更に前記電子メールに対して前記分割支払者が承認を行なっていた場合には該算出結果と前記支払比率に基づいて前記利用者と分割支払者各々の支払料金を算出し、該各人の支払料金を前記利用ジャーナルに記録するステップと、
前記利用者と前記分割支払者の携帯電話に対して、前記支払料金を電子メールにより通知するステップと、
を更に有することを特徴とする請求項１記載の携帯電話を利用した有料道路料金支払方法。
【請求項３】
前記出口ゲートから、自ゲートの情報と共に該出口ゲートが任意の携帯電話から受信した利用者の情報を含む利用通知信号が送られてくると、前記利用ジャーナルを参照して利用者確認を行って前記出口ゲートの通過を許可するか否かを判定するステップと、
前記出口ゲートの通過を許可した場合に、
前記利用ジャーナルに前記出口ゲートを利用終了地点として記録し、該利用ジャーナルと予め前記記憶装置に記憶されている料金マスターとに基づいて有料道路利用料金を算出し、更に前記電子メールに対して前記分割支払者が承認を行なっていた場合には該算出結果と前記支払比率に基づいて前記利用者と分割支払者各々の支払料金を算出し、該各人の支払料金を前記利用ジャーナルに記録するステップと、
前記利用者と前記分割支払者の携帯電話に対して、前記支払料金を電子メールにより通知するステップと、
前記利用ジャーナルと利用者マスターに記録された情報に基づいて、携帯電話会社に対して、料金回収代行を依頼するステップと、
を更に有することを特徴とする請求項１記載の携帯電話を利用した有料道路料金支払方法。
【請求項４】
有料道路の各入口／出口に設けられる各ゲートと通信線を介して接続したコンピュータに、
前記入口のゲートから、自ゲートの情報と共に該入口ゲートが任意の携帯電話から受信した利用者と分割支払者と支払比率の情報を含む有料道路利用信号が送られてくると、予め登録済み利用者名／分割支払者名とｅメールアドレスが設定されて記憶装置に記憶されている利用者マスタを参照して、前記利用者が登録済みの者であるか否かを判定し、登録済みである場合には、前記入口ゲートの通過を許可する機能と、
前記入口ゲートの通過を許可した場合に、
前記自ゲートの情報を利用開始地点として前記記憶装置に格納される利用ジャーナルに記録すると共に、前記受信した利用者と分割支払者と支払比率の情報を前記利用ジャーナルに記録する機能と、
前記利用者マスタと利用ジャーナルに記録された情報に基づいて、前記分割支払者の携帯電話に対して、有料道路の利用、及び支払比率についての確認／容認の為の電子メールを送信する機能と、
を実現させる為のプログラム。
【請求項５】
前記コンピュータに、
前記出口ゲートから、自ゲートの情報と共に該出口ゲートが任意の携帯電話から受信した利用者の情報を含む利用通知信号が送られてくると、前記利用ジャーナルを参照して利用者確認を行って前記出口ゲートの通過を許可するか否かを判定する機能と、
前記出口ゲートの通過を許可した場合に、
前記利用ジャーナルに前記出口ゲートを利用終了地点として記録し、該利用ジャーナルと予め前記記憶装置に記憶されている料金マスターとに基づいて有料道路利用料金を算出し、更に前記電子メールに対して前記分割支払者が承認を行なっていた場合には該算出結果と前記支払比率に基づいて前記利用者と分割支払者各々の支払料金を算出し、該各人の支払料金を前記利用ジャーナルに記録する機能と、
前記利用者と前記分割支払者の携帯電話に対して、前記支払料金を電子メールにより通知する機能と、
を更に実現させる為の請求項４記載のプログラム。
【請求項６】
有料道路の各入口／出口に設けられる各ゲートと通信線を介して接続したサーバ装置において、
予め登録済み利用者名／分割支払者名とｅメールアドレスが設定されて記憶装置に格納されている、各登録ユーザの携帯電話番号を含むユーザ情報を記憶した利用者マスタと、
前記入口のゲートから、自ゲートの情報と共に該入口ゲートが任意の携帯電話から受信した利用者と分割支払者の携帯電話番号及び支払比率の情報を含む有料道路利用信号が送られてくると、前記利用者マスタを参照して、前記利用者が登録ユーザであるか否かを判定し、登録済みである場合には、前記入口ゲートの通過を許可する手段と、
前記入口ゲートの通過を許可した場合に、
前記自ゲートの情報を利用開始地点として前記記憶装置に格納される利用ジャーナルに記録すると共に、前記受信した利用者と分割支払者と支払比率の情報を前記利用ジャーナルに記録する手段と、
前記利用者マスタと利用ジャーナルに記録された情報に基づいて、前記分割支払者の携帯電話に対して、有料道路の利用、及び支払比率についての確認／容認の為の電子メールを送信する手段と、
を有することを特徴とするサーバ装置。
【発明の詳細な説明】
【０００１】
【発明の属する技術分野】
本発明は、携帯端末を利用した有料道路料金支払方法に関する。
【０００２】
【従来の技術】
近年、主に渋滞緩和を目的して、高速道路等の有料道路における料金所での料金徴収をノンストップ、キャッシュレスで行うことができる、ＥＴＣ（ElectronicToll Collection System）等が導入されつつある。
【０００３】
このＥＴＣでは、各自動車に専用端末（ＥＴＣ車載器）を搭載させ、自動車が料金所を通過する際に、各料金所のＥＴＣゲートに設置されたアンテナとＥＴＣ車載器との路車間通信によって自動的に通行料金を決済する。
【０００４】
このように、ＥＴＣは渋滞緩和の一助となるが、一方で利用者にはＥＴＣ車載器の購入／取付けという負担が掛かる。
これに対して、従来、例えば特開平１１−７５６２号の発明が提案されている。この発明では、上記専用端末（ＥＴＣ車載器）を設ける必要なく、普及率が高い携帯電話を利用して、ノンストップ、キャッシュレスの料金徴収を実現する手法を提案している。
【０００５】
【発明が解決しようとする課題】
ところで、現在、携帯電話の普及率は非常に高くなっており、車に複数の人間が乗っている場合、車内に複数の携帯電話が存在している場合が多い。
【０００６】
このように車内に複数の携帯電話が存在する場合、上記特開平１１−７５６２号の発明では、車が料金所を通過する際、報知信号に対して複数の携帯電話から各々位置登録信号が返信された場合、対応できないという問題があった。
【０００７】
更に、複数人が乗車している場合、現実上、例えば料金を割り勘にしたり、所望の割合（例えば３人の場合、例えば５０対３０対２０等）で分割支払いしたい場合もある。
【０００８】
本発明の課題は、携帯端末を利用してノンストップ、キャッシュレスで料金支払いを行なえる方法において、携帯端末を所持する同乗者がいる場合にも対応でき、更に任意の分割比率で料金を分割して支払うこともできる携帯端末を利用した有料道路料金支払方法等を提供することである。
【０００９】
【課題を解決するための手段】
本発明による携帯端末を利用した有料道路料金支払方法は、有料道路の各入口／出口に設けられる専用のゲートが、携帯端末から受信した信号をサーバに送信するステップと、前記サーバが、前記信号に有料道路利用信号が含まれているか否かを判定するステップと、前記信号に有料道路利用信号が含まれていると判定した場合、前記有料道路利用信号に基づいて課金するステップとを備える。
【００１０】
上記有料道路料金支払方法によれば、ゲートを通過する自動車内に複数の携帯端末（携帯電話等）が存在する場合であっても、上記有料道路利用信号により、通常の携帯端末からの信号とは区別できるので、問題なく、携帯端末を利用してノンストップ、キャッシュレスで料金支払いを行うことができる。尚、上記有料道路利用信号は、例えば専用のアプリケーションを起動してある携帯端末から発信される。また、例えば、課金は、有料道路利用信号に含まれる利用者情報等に基づいて行う。
【００１１】
更に、例えば、前記有料道路利用信号には、利用者の情報に加えて更に分割支払者と支払比率に関する情報が含まれ、前記サーバは、前記課金時に、算出した利用料金と該支払比率とにより、利用者、分割支払者各々の支払金額を決定するようにしてもよい。
【００１２】
このように、１台の携帯電話から、分割支払者の情報も含む信号を送信することで、高速道路利用料金を所望の割合で分割して支払うことを指定できる。
利用料金を所望の割合で分割支払い可能にする方法は、上記の方法以外にも、例えば以下の方法がある。
【００１３】
すなわち、例えば、前記ゲートは、携帯端末から分割支払者に関する情報と特定の識別子と支払比率とを含む前記有料道路利用信号が送られてきた場合、該各情報と前記ゲートの情報をサーバに送信するステップを更に備え、
前記サーバは、前記特定の識別子が同一である全ての分割支払者及び登録利用者が、同じ車に同乗しているとみなし、該車に対する利用料金を算出後、該利用料金を前記支払比率に基づき分割して各支払金額を決定するステップを更に備えるようにしてもよい。
【００１４】
この方法では、分割支払者各々が、自己の携帯端末から、分割支払に関する情報を送信する。その際、同じ車に乗っている者は、全て同じ識別子を設定して送信する。これにより、サーバ側では、各人が別々に自己の携帯端末から情報発信しても、同一の識別子を持つ者同士を１グループとし、各グループ単位で料金算出／分割を行うことができる。特定の識別子とは、例えば車両識別子である。
【００１５】
また、本発明による携帯電話を利用した有料道路料金支払方法は、有料道路の各入口／出口に設けられる専用のゲートが、携帯端末から受信した信号に有料道路利用信号が含まれている場合に該信号をサーバに転送するステップと、前記サーバが、前記有料道路利用信号に基づいて課金するステップとを備えるものとしてもよい。
【００１６】
このように、携帯電話からの信号に有料道路利用信号が含まれているか否かの判定は、各ゲートが行ない、有料道路利用信号が含まれている信号のみをサーバに転送する構成としてもよい。
【００１７】
また、本発明は、コンピュータに、各ゲートから送られてくる利用者情報と位置情報に基づいて、送信元が入口のゲートである場合には、前記利用者が予め登録されている者であるか否かを判断するステップと、前記判断の結果、前記利用者が予め登録されている者である場合には、通過許可すると共に、利用開始地点を記録し、送信元が出口のゲートである場合には、利用者確認すると共に、利用終了地点と、前記記録されている利用開始地点と、予め格納されている料金表とに基づいて利用料金を算出するステップと、を実現させるためのプログラムとして構成することもできる。
【００１８】
【発明の実施の形態】
以下、図面を参照して、本発明の実施の形態について説明する。
図１は、本例による携帯電話を利用した有料道路料金支払方法を実現するシステム全体を概略的に示す図である。
【００１９】
尚、以下に述べる実施の形態では、有料道路として高速道路を例にして説明するが、これに限るわけではない。
本例によるシステムでは、高速道路の全ての料金所に、各々、専用のゲートを設置している。ここでは、入口のゲートをゲート１、出口のゲートをゲート２として説明する。また、各ゲート１、２は、各々、ネットワーク（例えば何等かの専用線）を介して、コンピュータ３（サーバ）に接続されている。
【００２０】
各ゲート１、２は、携帯電話５と通信可能な機能を有する。
コンピュータ３は、予め登録される利用者マスター３ａ、及び料金マスター３ｂを保持しており、また利用者マスター３ａに登録されている利用者が、実際に高速道路を利用する際には、利用ジャーナル３ｃを作成する。また、コンピュータ３は、ネットワークを介して、携帯電話会社のシステム４と接続しており、作成した利用ジャーナル３ｃに基づいて、高速道路利用料金の徴収代行を依頼する。また、特に図示していないが、コンピュータ３は、携帯電話網に接続して、高速道路利用者の携帯電話５との間で、電子メールの送受信を行う。詳しくは、後述する。
【００２１】
利用者は、自己が乗車する自動車６が、高速道路の入口のゲート１を通過する前に、携帯電話５に予めインストールされている特定のアプリケーション（以下、高速道路利用アプリケーションと呼ぶものとする）を起動しておく（複数人が乗車している場合には、何れか一人の携帯電話５を起動する）。そして、この状態で自動車６がゲート１を通過すると、たとえ自動車６内に複数の携帯電話５が存在していても問題なく、ゲート１とコンピュータ３は、上記高速道路利用アプリケーションを起動してある携帯電話５から返信される特別な返信信号（以下、利用通知信号という）に基づいて、詳しくは後述する処理を実行し、利用者と利用開始地点を確定する。出口においても、ゲート２とコンピュータ３は、詳しくは後述する処理により、利用者の確認と利用終了地点の確定、及び利用料金（複数人で分割して支払う場合には、各人が支払う料金）の確定を行う。
【００２２】
この入口／出口における概略的な処理手順を、図２（ａ）、（ｂ）に示す。
図２（ａ）は、入口における概略的な処理手順を示す図である。
入口のゲート１は、上記高速道路利用アプリケーションを起動してある携帯電話５からの上記利用通知信号を受信すると、利用者情報（携帯電話番号等）、通過ゲート情報（利用開始地点）等を、コンピュータ３に送信する。コンピュータ３は、上記利用者マスター３ａに基づいて、「通過ＯＫかＮＧか」を判定し、「通過ＮＧ」の場合には送信元のゲート１に通知して、ゲートを通過させないようにする。一方、「通過ＯＫ」の場合には、利用ジャーナル３ｃに記録する。更に、後述する分割支払者の携帯電話に対して、電子メール（ｅメール）を送り、支払の確認／承認を行わせる。詳しくは、後述する。
【００２３】
図２（ｂ）は、出口における概略的な処理手順を示す図である。
ゲート２は、上記入口のゲート１と同様、上記高速道路利用アプリケーションを起動してある携帯電話５からの利用通知信号を受信すると、利用者情報（電話番号等）、通過ゲート情報（利用終了地点）等を、コンピュータ３に送信する。コンピュータ３は、上記利用者マスター３ａに基づいて、「通過ＯＫかＮＧか」を判定し、「通過ＮＧ」の場合には送信元のゲート１に通知して、ゲートを通過させないようにする。一方、「通過ＯＫ」の場合には、利用ジャーナル３ｃを完成させ、これを用いて、携帯電話会社のシステム４に、利用者情報、料金情報を知らせ、料金徴収代行を依頼する。更に、各利用者の携帯電話５に対して、電子メールにて、料金徴収の通知を行う。詳しくは、後述する。
【００２４】
尚、ゲート１、２は、その上部に、下からの電波に対する指向性が強いアンテナを設けて成るようにしてもよい。
尚、上述した方法は一例であり、例えばゲート１、２は、携帯電話からの信号をコンピュータ３に転送し、コンピュータ３が当該信号が利用通知信号であるか否かを判定するようにしてもよい。
【００２５】
また、尚、本例では携帯電話を用いているが、これは一例であり、他の携帯端末を用いるようにしてもよい。
上述した処理のフローチャートを、図４、図６に示すが、この説明の前に、上記利用者マスター３ａ、料金マスター３ｂ、利用ジャーナル３ｃの具体例について、図３（ａ）〜（ｃ）を参照して説明する。
【００２６】
まず、図３（ａ）は、利用者マスター３ａの具体例を示す図である。
図示の利用者マスター３ａは、予め登録を行なっている各利用者毎に、その携帯電話番号１１、利用者名１２、ｅメールアドレス１３、割引率１４、住所１５、利用可・不可フラグ１６、携帯電話会社名１７、etc.の情報を格納している。尚、割引率１４には、何等かの割引サービス（例えば、ハイウェイカードのようなもの）が適用される場合に、任意の割引率が格納される。
【００２７】
料金マスター３ｂは、一般的に知られている高速道路料金表のように、全ての料金所の組み合わせについて、開始地点２１、終了地点２２（インター名等）、及び開始地点２１−終了地点２２間の利用料金２３を格納している。
【００２８】
利用ジャーナル３ｃには、利用者携帯電話番号３１、支払比率３２、支払金額３３、利用日付３４、高速利用開始時間３５、高速利用開始地点３６、高速利用終了時間３７、高速利用終了地点３８、利用料金３９の各データ項目があり、詳しくは後述するように、実際の高速道路利用に伴い、これら各データ項目に、利用内容に応じたデータが記録されていく。更に複数人で分割して料金支払を行う場合に対応して、最大４人分の分割支払者情報４０、４１、４２、４３が記録される。各分割支払者情報４０、４１、４２、４３は、各分割支払者の携帯電話番号４０ａ、４１ａ、４２ａ、４３ａ、支払比率４０ｂ、４１ｂ、４２ｂ、４３ｂ、支払金額４０ｃ、４１ｃ、４２ｃ、４３ｃより成る。
【００２９】
尚、利用者のみが料金を支払う場合には、支払比率３２は１００％となり、利用料金３９がそのまま支払金額３３となる。
以下、主に図４、図６を参照して、上記処理の詳細について説明する。
【００３０】
図４は、本例によるノンストップハイウェイサービスを実現するシステム全体の処理フローチャート図である。図６は、利用者が出口を通過する際の、主にコンピュータの動作を詳細に説明する詳細フローチャート図である。図７、図８は、図４の処理に関して、利用者のみが料金支払いを行う場合の処理例（図７は入口、図８は出口）を示す。図９、図１０は、図４の処理に関して、複数人（利用者、及び他の１名）で分割支払する場合の処理例を示す（図９は入口、図１０は出口）。
【００３１】
尚、予め事前作業として、高速道路利用アプリケーションを携帯電話にダウンロードし、不図示の初期登録画面上で、利用者マスター３ａの内容、及び暗証番号を登録する作業を行なっている。
【００３２】
まず、自動車６に乗車している利用者（複数人乗車している場合は、その中の一人）は、高速道路を利用しようと決めた場合、まず、自己の携帯電話５に予めダウンロードしてある高速道路利用アプリケーションを起動し、以下に説明する入力作業を行う（ステップＳ１）。
【００３３】
上記アプリケーションは、起動されるとまず、セキュリティの為に、図５（ａ）に示す暗証番号入力画面５０を表示し、暗証番号入力領域５１に暗証番号を入力させ、正しい暗証番号が入力された場合にのみ、図５（ｂ）に示す支払者設定画面６０へと移行する。尚、暗証番号は、上記初期登録時に利用者が予め設定しておく。このようにすることで、例えば携帯電話を紛失した場合でも、悪用されることはない。
【００３４】
利用者は、図５（ｂ）に示す支払者設定画面６０上で所望の入力作業を行う。支払者設定画面６０上には、利用者の携帯電話番号の入力領域６１、利用者の支払比率の入力領域６２、分割支払者の携帯電話番号の入力領域６３と支払比率の入力領域６４（最大４人分入力可能であり、図の例では２人分入力している）、及び「送信」ボタン６５が表示される。
【００３５】
入力領域６１には利用者の携帯電話番号が自動的に設定／表示される。利用者のみが料金を支払う場合には、図５に示すように、そのまま「送信」ボタン６５を押下すればよい（この場合、利用者の支払比率は自動的に１００（％）となる）。
【００３６】
一方、複数人で分割して支払う場合には、図９に示すように、各分割支払者の携帯電話番号を入力領域６３に入力すると共に、任意の支払比率を入力領域６４に入力する。尚、通常、自動車に同乗している人間の携帯電話番号は、電話帳に登録している場合も少なくないので、上記アプリケーションに、電話帳上で選択／指定すれば自動的に入力領域６３に入力される機能も加えるようにしてもよい。これにより入力の手間を軽減できる。利用者は、入力完了したら、「送信」ボタン６５を押下する。尚、このとき、上記アプリケーションは、全ての支払比率を合計して１００％になるか否かを判定し、１００％にならない場合にはエラーとする。
【００３７】
上記「送信」ボタン６５が押下された後の携帯電話５は、上記高速道路利用アプリケーションの機能により、報知信号に対して、通常の携帯電話とは異なる、特定の信号（上記利用通知信号）を返信するようになる（ステップＳ２）。
【００３８】
各ゲート１、２は、一般的な携帯電話の無線基地局と同様に、随時、報知信号を送信し、携帯電話５からの返信信号を受信する処理を行なっている。但し、携帯電話５からの返信信号が、通常の携帯電話から返信される位置登録信号であった場合には、これを無視する。一方、上記高速道路利用アプリケーションを起動し、所定の設定／入力をしてある携帯電話５は、ステップＳ２の処理により、上記報知信号に対して、高速道路利用意志を示す情報（予め決められたものであれば、何でもよい；以下、高速利用判断情報と呼ぶ）及び利用者／分割支払者に関する情報を含む返信信号（上記利用通知信号）を返信する。ゲート１、２は、受信した信号に上記高速利用判断情報が含まれている場合には、高速道路利用の為の信号であると判断し、以下に説明する処理を実行する。
【００３９】
尚、既に述べてあるが、上述した方法は一例であり、これに限るわけではなく、例えば各ゲート１、２は携帯電話からの信号をコンピュータ３に転送し、コンピュータ３がこの信号が高速道路利用の為の信号であるか否かを判断するようにしてもよい。
【００４０】
ゲート１は、利用通知信号を受信したと判断すると、この信号に含まれる上記利用者／分割支払者に関する情報（携帯電話番号、支払比率等）を、自ゲートの情報（利用開始地点等）と共に、コンピュータ３に送信する（ステップＳ３）。これら送信する情報の一例は、図７、図９に示す。
【００４１】
コンピュータ３は、ステップＳ３で送信されてくるデータ（利用者／分割支払者に関する情報等）に基づいて上記利用者マスター３ａを検索して、利用者／分割支払者が予め登録済みの者であり且つ本サービスを利用可能であるか否かを確認し（ステップＳ４）、「通過ＯＫかＮＧか」を判定する（ステップＳ５）。例えば、図７の場合は、利用者が利用者マスター３ａに登録されており、且つ利用可・不可フラグがＯＮ（利用可）である場合に、「通過ＯＫ」と判定する。一方、図９の場合は、利用者及び全ての分割支払者が、利用者マスター３ａに登録済みで且つ利用可・不可フラグがＯＮ（利用可）である場合に「通過ＯＫ」と判定する。
【００４２】
登録済みか否かの判定は、例えばステップＳ３で送信されてくるデータ中に利用者／分割支払者の携帯電話番号が含まれており、この携帯電話番号が利用者マスター３ａに登録されているか否かにより判定する。尚、利用可・不可フラグは、通常は、ＯＮ（利用可）になっているが、例えば以前に本サービスを利用したが料金未払いになっている場合や、携帯電話を紛失し紛失届けが出ている場合等に、フラグをＯＦＦ（利用不可）にする。
【００４３】
もし「通過ＮＧ」判定であった場合には（ステップＳ５，ＮＧ）、その旨をゲート１に通知する。これを受けて、ゲート１は、ゲートを閉じる等して（ステップＳ６）、自動車６を通過させないようにし、例えば音声／表示等により、他の一般のゲートを利用するように促す（ステップＳ７）。尚、これとは逆に、通常時はゲートは閉じており、「通過ＯＫ」と判定した場合のみ、その旨をゲート１に通知して、ゲートを開けさせるようにしてもよい。
【００４４】
このように、予め利用者マスター３ａに登録していないユーザが上記高速道路利用アプリケーションを起動したとしても、本システムを利用できないようになっている。また、分割支払を行う場合には、分割支払者も、予め登録してある者でなければならない（登録していないと、携帯電話会社に対して、利用料金の回収代行を依頼できないから）。
【００４５】
一方、「通過ＯＫ」判定であった場合には、コンピュータ３は、上記自ゲートの情報（利用開始地点）、利用者／分割支払者に関する情報等を、この利用者に関する利用ジャーナル３ｃに記録する（ステップＳ８）。この時点では、図３（ｃ）の利用ジャーナル３ｃにおける利用者携帯電話番号３１、支払比率３２、利用日付３４、高速利用開始時間３５、高速利用開始地点３６が記録され、更に分割支払する場合には、各分割支払者情報４０、４１、４２、４３における分割支払者の携帯電話番号４０ａ、４１ａ、４２ａ、４３ａ、及び支払比率４０ｂ、４１ｂ、４２ｂ、４３ｂが、分割支払者の人数分、記録される。
【００４６】
「通過ＯＫ」判定であった場合には、利用者の自動車６は、ゲート１を通過し、高速道路を走行するが、通常、高速道路走行中でも携帯電話の利用（通話、電子メール送受信）は可能である。これより、コンピュータ３は、利用者マスター３ａと利用ジャーナル３ｃとに基づいて、利用者（分割支払いの場合には、図８に示すように各分割支払者にも）の携帯電話に対して、高速道路の利用、及び支払比率についての確認／容認の為の電子メールを自動作成し、携帯電話網等を介して、これを送信する（ステップＳ９）。
【００４７】
その後、利用者の自動車６が目的地のインターへ到着すると、上記入口のゲート１のときと同様に、出口のゲート２の通過前に、利用者の携帯電話５において上記高速道路利用アプリケーションを起動し、必要な入力作業を行なっておく（ステップＳ１１）。但し、ステップＳ１で設定／入力した内容は保存されているので、変更がなければ、再度設定／入力する必要はなく、「送信」ボタン６５を押すだけでよい。
【００４８】
これより、利用者の携帯電話５は、ステップＳ２と同様、ゲート２からの報知信号に対して利用通知信号を返信する（ステップＳ１２）。ゲート２は、受信した信号が利用通知信号であると判断すると、ステップＳ３と同様、この信号に含まれる上記利用者に関する情報（電話番号等）を、自ゲートの情報（利用終了地点）と共に、コンピュータ３に送信する（ステップＳ１３）。
【００４９】
コンピュータ３は、ステップＳ１３で送信されてくるデータ（利用者に関する情報等）と、利用ジャーナル３ｃ（更に必要に応じて利用者マスター３ａ）とに基づいて、詳しくは図６で説明する利用者確認処理を行なって（ステップＳ１４）、「通過ＯＫかＮＧか」を判定する（ステップＳ１５）。もし「通過ＮＧ」判定であった場合には（ステップＳ１５，ＮＧ）、その旨をゲート２に通知する。これを受けて、ゲート２は、ゲートを閉じる等して（ステップＳ１６）、自動車６を通過させないようにし、例えば音声／表示等により、他の一般のゲートを利用して、現金等で料金支払を行うように促す（ステップＳ１７）。
【００５０】
一方、「通過ＯＫ」判定であった場合には、コンピュータ３は、利用終了地点に関する情報を、上記利用ジャーナル３ｃの高速利用終了時間３７、高速利用終了地点３８に記録する（ステップＳ１８）。
【００５１】
更に、詳しくは図６で説明するが、利用ジャーナル３ｃと料金マスター３ｂとにより高速道路利用料金を算出し、更に分割支払いの場合には各人の支払料金を求め（ステップＳ１９）、これを利用ジャーナル３ｃに記録する。これより、利用ジャーナル３ｃは、作成完了したことになる。また、各人の携帯電話に対し、電子メールにより、支払料金等を通知する（ステップＳ２０）。
【００５２】
更に、コンピュータ３は、作成完了した利用ジャーナル３ｃと利用者マスター３ａとに基づいて、携帯電話会社のシステム４に対して、料金回収代行を依頼するのに必要な情報（例えば各人の支払料金、携帯電話番号、利用日時等）を通知する（ステップＳ２１）。
【００５３】
携帯電話会社では、既に、携帯電話料金の回収の際に他の任意の料金の代理回収サービスを行なっており、高速道路の利用料金の代理回収も行なってもらえばよい。
【００５４】
図６は、上記ステップＳ１３〜ステップＳ２０の処理を、更に詳細に説明する為のフローチャート図である。
同図においては、図４におけるステップＳ１９及びＳ２０の処理の詳細フローとしてステップＳ３１〜３７を示してあり、他の処理については同一ステップ番号を付してある。
【００５５】
まず、出口のゲート２が上記ステップＳ１３で受信する利用通知信号には、利用者の携帯電話番号（分割支払いの場合には、更に全ての分割支払者の携帯電話番号と支払比率）と、高速利用判断情報が含まれる。高速利用判断情報は、上記の通り、本サービス提供者側で予め任意に決めておき、上記高速道路利用アプリケーションが、起動されると自動的に返信信号に含めるようにしておけばよい。
【００５６】
ゲート２は、利用通知信号を受信すると（受信した信号が利用通知信号であるか否かは、受信した信号に上記高速利用判断情報が含まれているか否かにより判断する）、利用通知信号に含まれている上記各種データを、コンピュータ３に送信する。
【００５７】
ステップＳ１４において、コンピュータ３は、入口のゲート１通過の際に作成されている利用ジャーナル３ｃを探し出す。つまり、利用者携帯電話番号３１が、上記利用者の携帯電話番号と一致する利用ジャーナル３ｃを探し出す。もし見つからなければ、ステップＳ１５で「通過ＮＧ」と判定する。もし、見つかれば、更に、ゲート２から送られてきたデータと、この利用ジャーナル３ｃの内容とが一致するか否かを判定し、一致する場合には「通過ＯＫ」とする（入口通過の際にチェックしているので、再度利用者マスター３ａで確認する必要はない）。一方、もし分割支払者が変更されていたら、ゲート２から送られてきたデータ中の分割支払者（変更後の分割支払者）が、利用者マスター３ａに登録されている者であり且つ利用可・不可フラグ１６がＯＮ（利用可）になっているか否かを確認する。もし利用者マスター３ａに登録済みで且つ利用可であれば、利用ジャーナル３ｃの分割支払者情報４０〜４３（人数分）を変更すると共に、「通過ＯＫ」とする。そうでなければ、「通過ＮＧ」とする。
【００５８】
つまり、本処理では、分割支払者（または／及び支払比率）は変更してもよいが（但し、利用者マスター３ａに登録済みで且つ利用可の者でなければならない）、利用者の携帯電話番号は、入口のゲート１通過の際に登録したものと同じでなければならない（高速道路利用アプリケーション起動は、同一の携帯電話で行なわなければならない）ものとしている。
【００５９】
そして、上記ステップＳ１４の処理における各種チェックの結果、「通過ＯＫ」であれば（ステップＳ１５，ＯＫ）、まず、利用ジャーナル３ｃにおける高速利用終了時間３７、高速利用終了地点３８に、利用終了時間、利用終了地点を記録する（ステップＳ１８）。
【００６０】
次に、高速利用開始地点３６と高速利用終了地点３８とにより、料金マスター３ｂを検索して、利用料金を求め、これを利用料金３９に記録する（ステップＳ３１）。
【００６１】
次に、支払方法が、分割支払であるか否かを判定する（ステップＳ３２）。
利用者のみが支払う場合には（ステップＳ３２，ＮＯ）、図８に示すように、上記利用料金をそのまま支払金額３３に記録し（ステップＳ３３）、更に宛先をｅメールアドレス１３とし、メール本文に支払金額等を記載した、確認の為の電子メールを自動作成し、送信する（ステップＳ３４）。最後に、上記ステップＳ２１の処理を実行し、本処理は終了する。
【００６２】
一方、複数人で分割して支払う場合には（ステップＳ３２，ＹＥＳ）、図１０に示すように、利用料金３９を各人の支払比率（３２、４０ｂ〜４３ｂ（人数分））で分割して、各人の支払金額を求め（ステップＳ３５）、この求めた支払金額を、利用ジャーナル３ｃの支払金額３３、４０ｃ〜４３ｃ（人数分）に記録する（ステップＳ３６）。
【００６３】
尚、割り切れずに、端数が出た場合には、例えばこの端数分を利用者の支払金額３３に加える。以上で、利用ジャーナル３ｃの作成完了する。
続いて、利用ジャーナル３ｃの利用者携帯電話番号３１、分割支払者携帯電話番号４０ａ〜４３ａ（人数分）各々をキーにして利用者マスター３ａを検索して、各人のｅメールアドレス１３を得て、宛先をｅメールアドレス１３とし、本文に支払金額等を記載した、確認の為の電子メールを自動作成し、各々の携帯電話に送信する（ステップＳ３７）。最後に、上記ステップＳ２１の処理を実行し、本処理は終了する。
【００６４】
以下、上述した処理について、具体的な一例を挙げて説明する。
図１１（ａ）は、利用者マスター３ａの具体的な一例を示す図である。
尚、図１１（ａ）に示す利用者マスター７０では、図３（ａ）に示す利用者マスター３ａから、一部の項目（住所、割引率等）を省略して示してある。
【００６５】
また、以下に示す具体例では、ある自動車６に“山内”、“平島”、“岡田”の３人が乗っており、３人とも予め所定の登録を行なって、利用者マスター３ａに登録されているものとする。
【００６６】
図１１（ａ）に示す利用者マスター７０は、利用者マスター３ａに格納されている多数の登録者の情報の中で、上記“山内”、“平島”、“岡田”の登録情報の一例を示している。図示の例では、利用者名７１＝“山内”に関しては、携帯電話番号７２は“０９０００００○○○○”、車両識別子７５は“札幌５００  あ  ０○△×”が登録されている。利用者名７１＝“平島”、“岡田”についても、図示の通り、携帯電話番号７２、ｅメールアドレス７３、車両識別子７５が登録されている。また、３人とも、利用可・不可フラグ７４はＯＮ（利用可）となっているものとする（上記の通り、何か問題が起こっていない限り、通常は、利用可となっている）。
【００６７】
ここで、車両識別子７５について説明する。これまでの説明では、車両識別子は使われていなかった。車両識別子は、上述した実施例以外の他の実施例において用いられる。上述した実施例では、例えば図５（ｂ）に示すように、複数の携帯電話の中の１台のみを使用して、利用者以外の各分割支払者とその支払比率についても設定／入力していたが、この他の実施例では、詳しくは、後に図１３（ｂ）、（ｃ）を参照して説明するが、各分割支払者が、各々、ゲート通過前に、自己の携帯電話において上記アプリケーションを起動して、例えば不図示の分割支払者用設定入力画面を表示させて、この画面上で、自分が現在乗車している自動車の車両識別子（ナンバープレートの番号等）、支払い比率等を設定／入力する。これにより、各人が別々にデータ送信しても、コンピュータ３側では、同じ車両識別子のものは、全て同じ自動車に乗車しているものと判断できる。尚、図１１（ａ）の例では、車両識別子として、自動車のナンバープレートの番号を用いているが、これに限らず、“どの自動車”であるかを特定できる情報であれば何でもよい。
【００６８】
尚、利用者マスター７０の車両識別子７５には、基本的には、各人が所有する自動車の車両識別子（ナンバープレートの番号等）を登録しておく。
図１１（ｂ）には、料金マスター３ｂの具体例を示す。
【００６９】
図示の料金マスター８０に示すように、一般的に知られている高速道路料金表と同様に、高速道路の各インター名（札幌・日高・網走）と、各インター間の利用料金が格納されている。利用料金は、大型車／普通車別に格納されている。例えば、札幌−網走間の利用料金は、普通車では１０，０００円となっている。
【００７０】
図１２（ａ）〜（ｄ）、図１３（ａ）〜（ｃ）は、上記アプリケーションを利用しているときの携帯電話の画面例を示す。特に、図１３（ｂ）、（ｃ）は、上記他の実施例に対応する画面例である。
【００７１】
例えば、“山内”が、自己の携帯電話の高速道路利用アプリケーションを起動したものとする。起動すると、携帯電話のディスプレイには、まず、例えば図１２（ａ）の画面が表示される。利用者（＝“山内”）が、この画面上で暗証番号を入力すると、続いて図１２（ｂ）の画面が表示される。この画面では、支払方法を、利用者のみが支払うのか、ワリカン（但し、均等割りとは限らない）とするかを指定できる。図示の例では、２．ワリカンを指定し、これより図１２（ｃ）の画面が表示される。この画面では、最初は、利用者名（＝“山内”）のみ表示されている。また、利用者は、図示のように分割支払者として“平島”、“岡田”と各々の携帯電話番号を入力する（電話帳から選択してもよい）。利用者は、更に、各々の支払比率を入力する（図示の例では、２０％、４０％、４０％）。全て入力完了したら、「送信」を指示する。
【００７２】
これに応じて、ステップＳ９により、コンピュータ３から“平島”、“岡田”の携帯電話に送られてくる電子メールは、例えば図１２（ｄ）に示す内容となる。
【００７３】
これまで説明していなかったが、図示の通り、例えば５分以内に、“平島”、“岡田”の両名が「承認」を行なわない場合には、ワリカンは行なわれないこととする（例えば、強制的に、利用者のみが支払う方法に変更する）。この様にすることで、もし間違えて、関係ない人間を分割支払者に指定してしまった場合でも、「承認」しなければ問題ないことになる。
【００７４】
例えば、“平島”、“岡田”の両名が「承認」を行ない、その後分割支払者や支払比率の変更は行なわなかったものとし、更に利用者達の自動車（普通車）は、札幌インターから入り、網走インターから出たものとした場合には、ステップＳ２０（Ｓ３７）により、図１３（ａ）に示す内容の電子メールが、各人の携帯電話に送られてくる。
【００７５】
次に、図１３（ｂ）、（ｃ）は、上述した他の実施例に関する表示例を示す。上記実施例では、図１２（ｃ）に示すように、利用者が、分割支払者の情報も一括して設定していたが、当該他の実施例では、各分割支払者が各々、ゲート通過前に自己の携帯電話のアプリケーションを起動して、例えば図１３（ｂ）に示す画面上で、車両識別子と支払比率を指定／入力しておく。尚、車両識別子は、予め例えば家族／友人／知人等の自動車の車両識別子を登録しておき、利用の際に登録内容から選択することで指定／入力できるようにしてもよい。
【００７６】
この状態でゲートを通過すると、この携帯電話は、これら車両識別子と支払比率、及び自己の携帯電話番号を含む利用通知信号を返信する。ゲートを介してこれらの情報を受信したコンピュータ３は、受信した車両識別子をキーにして図１１（ａ）に示す利用者マスター７０を検索して、車両識別子７５が一致するレコードの利用者名（この例では“山内”）に対応する利用ジャーナル３ｃに、分割支払者の携帯電話番号と支払比率を記録すると共に、利用者（この例では“山内”）に対して、例えば図１３（ｃ）に示す内容の電子メールを送信する。
【００７７】
図１４（ａ）〜（ｃ）は、上記図１２（ａ）〜図１３（ａ）に示す具体例に応じて、利用ジャーナル３ｃに記録していく様子を示す図である。尚、図１４には、図３（ｃ）に示す利用ジャーナル３ｃのデータ項目の一部について、データが記録されていく様子を示すが、実際には他のデータ項目も記録されていく。また、図１４には、図３（ｃ）に示す利用ジャーナル３ｃにはないデータ項目（支払い区分識別子９１、及び支払い状況識別子９２）が存在するが、これらは必ずしも必要なわけではない。
【００７８】
利用ジャーナル３ｃは、利用者マスター３ａに登録されている各ユーザ毎に用意されており、初期状態では図１４（ａ）に示す通り、ユーザの携帯電話番号以外は何も記録されていない。
【００７９】
そして、上述したように、携帯電話において図１２（ｃ）に示す内容を設定し、入口である札幌インターのゲート１を通過すると、利用者（＝“山内”）の利用ジャーナル３ｃに、図１４（ｂ）に示す各種データが記録される。尚、この例では、携帯電話５のアプリケーションは、図１２（ｂ）で指定した支払方法に応じた支払区分識別子も含む信号をゲートに送信し、コンピュータ３はこれを支払区分識別子９１に記録するものとする。図１２（ｂ）の例ではワリカンを指定しているので、支払区分識別子９１にはワリカンを意味する識別子が記録される。
【００８０】
また、支払い状況識別子９２には、図１２（ｄ）の電子メールに対して５分以内に全ての分割支払者から「承認」があった場合に、支払い準備ＯＫを示す識別子（ここでは‘１’）が記録される。
【００８１】
その後、利用者の自動車が、目的地のインターに到着し、出口である網走インターのゲート２を通過すると、利用者（＝“山内”）の利用ジャーナル３ｃに、図１４（ｃ）に示すデータが記録される。図では、高速利用終了地点３８に「網走」、利用料金３９に「１００００」が記録されているだけであるが、実際には、利用料金３９と各支払比率３２、４０ｂ、４１ｂとにより、各人の支払料金が算出され記録される（尚、この例では、分割支払者、支払比率の変更は無かったものとする）。
【００８２】
図１５は、本実施の形態によるノンストップハイウェイサービスを提供するコンピュータ３（サーバ）のハードウェア構成の一例を示す図である。
同図に示すコンピュータ１００は、ＣＰＵ１０１、メモリ１０２、入力装置１０３、出力装置１０４、外部記憶装置１０５、媒体駆動装置１０６、ネットワーク接続装置１０７等を有し、これらがバス１０８に接続された構成となっている。同図に示す構成は一例であり、これに限るものではない。
【００８３】
ＣＰＵ１０１は、当該コンピュータ１００全体を制御する中央処理装置である。
メモリ１０２は、プログラム実行、データ更新等の際に、外部記憶装置１０５（あるいは可搬記録媒体１０９）に記憶されているプログラムあるいはデータを一時的に格納するＲＡＭ等のメモリである。ＣＰＵ１０１は、メモリ１０２に読み出したプログラム／データを用いて、上述してある各種処理を実行する。
【００８４】
入力装置１０３は、例えばキーボード、マウス、タッチパネル等である。
出力装置１０４は、例えばディスプレイ、プリンタ等である。
外部記憶装置１０５は、例えば磁気ディスク装置、光ディスク装置、光磁気ディスク装置等であり、上述してきたコマンド入力装置としての各種機能を実現させる為のプログラム／データ等（図３（ａ）〜（ｃ）に示すデータや、図４、図６等に示す処理を実行するプログラム）が格納されている。
【００８５】
媒体駆動装置１０６は、可搬記録媒体１０９に記憶されているプログラム／データ等を読み出す。可搬記録媒体１０９は、例えば、ＦＤ（フレキシブルディスク）、ＣＤ−ＲＯＭ、その他、ＤＶＤ、光磁気ディスク等である。
【００８６】
ネットワーク接続装置１０７は、ネットワークに接続して、外部の情報処理装置とプログラム／データ等の送受信を可能にする構成である。
図１６は、記録媒体の一例を示す図である。
【００８７】
図示のように、上記本発明の機能を実現するプログラム／データが記憶されている可搬記録媒体１０９から情報処理装置１００側に読み出して、メモリ１０２に格納し実行するものであってもよいし、また、上記プログラム／データは、ネットワーク接続装置１０７により接続しているネットワーク（インターネット等）を介して、外部のサーバ１２０の記憶部１２１に記憶されているプログラム／データをダウンロードするものであってもよい。
【００８８】
また、本発明は、装置／方法に限らず、上記プログラム／データを格納した記録媒体（可搬記録媒体１０９等）自体として構成することもできるし、上記プログラム自体として構成することもできる。
【００８９】
（付記１）  有料道路の各入口／出口に設けられる専用のゲートが、携帯端末から受信した信号をサーバに送信するステップと、
前記サーバが、前記信号に有料道路利用信号が含まれているか否かを判定するステップと、
前記信号に有料道路利用信号が含まれていると判定した場合、前記有料道路利用信号に基づいて課金するステップと、
を備えたことを特徴とする携帯端末を利用した有料道路料金支払方法。
【００９０】
（付記２）  前記有料道路利用信号には、利用者の情報に加えて更に分割支払者と支払比率に関する情報が含まれ、
前記サーバは、前記課金時に、算出した利用料金と該支払比率とにより、利用者、分割支払者各々の支払金額を決定することを特徴とする付記１記載の携帯端末を利用した有料道路料金支払方法。
【００９１】
（付記３）  前記ゲートは、携帯端末から分割支払者に関する情報と特定の識別子と支払比率とを含む前記有料道路利用信号が送られてきた場合、該各情報と前記ゲートの情報をサーバに送信するステップを更に備え、
前記サーバは、前記特定の識別子が同一である全ての分割支払者及び登録利用者が、同じ車に同乗しているとみなし、該車に対する利用料金を算出後、該利用料金を前記支払比率に基づき分割して各支払金額を決定するステップを更に備えたことを特徴とする付記１記載の携帯端末を利用した有料道路料金支払方法。
【００９２】
（付記４）  前記サーバは、前記分割支払者の携帯端末に対して、有料道路の料金支払い及び支払比率についての確認／承認の為の電子メールを送信するステップを更に備えたことを特徴とする付記２記載の携帯端末を利用した有料道路料金支払方法。
【００９３】
（付記５）  コンピュータに、
各ゲートから送られてくる利用者情報と位置情報に基づいて、送信元が入口のゲートである場合には、前記利用者が予め登録されている者であるか否かを判断するステップと、
前記判断の結果、前記利用者が予め登録されている者である場合には、通過許可すると共に、利用開始地点を記録し、送信元が出口のゲートである場合には、利用者確認すると共に、利用終了地点と、前記記録されている利用開始地点と、予め格納されている料金表とに基づいて利用料金を算出するステップと、
を実現させるためのプログラム。
【００９４】
（付記６）  有料道路の各入口／出口に設けられる専用のゲートが、携帯端末から受信した信号に有料道路利用信号が含まれている場合に該信号をサーバに転送するステップと、
前記サーバが、前記有料道路利用信号に基づいて課金するステップと、
を備えたことを特徴とする携帯端末を利用した有料道路料金支払方法。
【００９５】
（付記７）  有料道路の各入口／出口に設けられる専用のゲートが、携帯端末から受信した信号をサーバに送信する送信手段を備え、
前記サーバが、前記信号に有料道路利用信号が含まれているか否かを判定する判定手段と、
該判定手段において前記信号に有料道路利用信号が含まれていると判定された場合、前記有料道路利用信号に基づいて課金する課金手段と、
を備えたことを特徴とする携帯端末を利用した有料道路料金支払装置。
【００９６】
（付記８）  有料道路の各入口／出口に設けられる専用のゲートが携帯端末から受信した信号を転送してくると、該信号に有料道路利用信号が含まれているか否かを判定するステップと、
前記信号に有料道路利用信号が含まれていると判定した場合、前記有料道路利用信号に基づいて課金するステップと、
を実行させるためのプログラムを格納したコンピュータ読み取り可能な記録媒体。
【００９７】
【発明の効果】
以上、詳細に説明したように、本発明の携帯端末を利用した有料道路料金支払方法によれば、専用の装置を必要とすることなく、普及率が高い携帯電話等を利用して、ノンストップ、キャッシュレスで料金支払いを行なえると共に、携帯端末を所持する複数人が乗車している場合にも対応でき、更にワリカンや、任意の分割比率で自由に高速道路利用料金を分割して支払うこともできる。
【図面の簡単な説明】
【図１】本例による携帯電話を利用した有料道路料金支払方法を実現するシステム全体を概略的に示す図である。
【図２】（ａ）は高速道路入口、（ｂ）は高速道路出口における概略的な処理手順を示す図である。
【図３】（ａ）は利用者マスター、（ｂ）は料金マスター、（ｃ）は利用ジャーナルの具体例を示す図である。
【図４】本例によるノンストップハイウェイサービスを実現する処理全体のフローチャートである。
【図５】（ａ）は起動時の画面例（暗証番号入力画面）、（ｂ）は支払者設定画面の一例を示す図である。
【図６】利用者が出口を通過する際の、主にコンピュータの動作を説明する詳細フローチャート図である。
【図７】利用者のみが料金支払いを行う場合の処理例（入口）である。
【図８】利用者のみが料金支払いを行う場合の処理例（出口）である。
【図９】複数人（利用者、及び他の１名）で分割支払する場合の処理例（入口）である。
【図１０】複数人（利用者、及び他の１名）で分割支払する場合の処理例（出口）である。
【図１１】（ａ）は利用者マスター、（ｂ）は料金マスターの具体的な一例を示す図である。
【図１２】（ａ）〜（ｄ）は、携帯電話の表示画面例である。
【図１３】（ａ）〜（ｃ）は、携帯電話の表示画面例（他のパターン含む）である。
【図１４】（ａ）〜（ｃ）は、図１１〜図１３に示す具体例に応じて、利用ジャーナルに記録していく様子を示す図である。
【図１５】ノンストップハイウェイサービスを提供するコンピュータのハードウェア構成の一例を示す図である。
【図１６】記録媒体の一例を示す図である。
【符号の説明】
１  ゲート（入口）
２  ゲート（出口）
３  コンピュータ
３ａ  利用者マスター
３ｂ  料金マスター
３ｃ  利用ジャーナル
４  携帯電話会社のシステム
５  携帯電話
６  自動車
１１  携帯電話番号
１２  利用者名
１３  ｅメールアドレス
１４  割引率
１５  住所
１６  利用可・不可フラグ
１７  携帯電話会社名
２１  開始地点
２２  終了地点
２３  利用料金
３１  利用携帯電話番号
３２  支払比率
３３  支払金額
３４  利用日付
３５  高速利用開始時間
３６  高速利用開始地点
３７  高速利用終了時間
３８  高速利用終了地点
３９  利用料金
４０、４１、４２、４３  分割支払者情報
４０ａ、４１ａ、４２ａ、４３ａ  携帯電話番号
４０ｂ、４１ｂ、４２ｂ、４３ｂ  支払比率
４０ｃ、４１ｃ、４２ｃ、４３ｃ  支払金額
５０  暗証番号入力画面
５１  暗証番号入力領域
６０  支払者設定画面
６１  利用者の携帯電話番号の入力領域
６２  利用者の支払比率の入力領域
６３  分割支払者の携帯電話番号の入力領域
６４  支払比率の入力領域
６５  「送信」ボタン
７１  利用者名
７２  携帯電話番号
７３  ｅメールアドレス
７４  利用可・不可フラグ
７５  車両識別子
８０  料金マスター
９１  支払い区分識別子
９２  支払い状況識別子
【図１】
0003786601.tif 000002
【図２】
0003786601.tif 000003
【図３】
0003786601.tif 000004
【図４】
0003786601.tif 000005
【図５】
0003786601.tif 000006
【図６】
0003786601.tif 000007
【図７】
0003786601.tif 000008
【図８】
0003786601.tif 000009
【図９】
0003786601.tif 000010
【図１０】
0003786601.tif 000011
【図１１】
0003786601.tif 000012
【図１２】
0003786601.tif 000013
【図１３】
0003786601.tif 000014
【図１４】
0003786601.tif 000015
【図１５】
0003786601.tif 000016
【図１６】
0003786601.tif 000017